Podtech/llm-jp-corpus-v4-ja_patent huggingface dataset:
(57)【要約】【課題】  排尿バック使用時に被せる排尿バック収納カバーを提供する。【解決手段】    布体の前面に透明ビニール材（４）を設けて、上部に開閉自在になるファスナー（５）と取付け姿勢を安定させるためのループ（８）、および、紐（９）を儲け、下部を排尿自在にする開口部（７）にして透明ビニール材（４）を覆う被せ布（６）を儲けて、収納することを特徴とする排尿バック収納カバー。【選択図】図１
2012228488.tif 000002
【特許請求の範囲】
【請求項１】
布体の前面に透明ビニール材（４）を設けて、上部に開閉自在になるファスナー（５）と取付け姿勢を安定させるためのループ（８）、および、紐（９）を儲け、下部を排尿自在にする開口部（７）にして透明ビニール材（４）を覆う被せ布（６）を儲けて、収納することを特徴とする排尿バック収納。
【発明の詳細な説明】
【技術分野】
【０００１】  本発明は、排尿バックを使用するとき、排尿バックに被せて使用する排尿バック収納カバーに関するものである。
【背景技術】
【０００２】  従来、排尿バックは、そのまま使用するかタオルや布、袋等を被せていた。
【発明の概要】
【発明が解決しようとする課題】
【０００３】  そのために、次のような問題点があった。
（イ）排尿が丸見えであった。
（ロ）排尿バックの上から、タオルや布、袋などを被せていた。
（ハ）身体の一部として外観が悪く、不快感もあった。
本発明は、これらの問題点を解決するためになされたものである。
【課題を解決するための手段】
【０００４】  布体の前面に透明ビニール材（４）を設けて、上部に開閉自在になるファスナー（５）と取付け姿勢を安定させるためのループ（８）、および、紐（９）を儲け、下部を排尿自在にする開口部（７）にして透明ビニール材（４）を覆う被せ布（６）を儲けて、収納することを特徴とする排尿バック収納。
カバーである。
【発明の効果】
【０００５】  人目を気にせず、車椅子乗車や外出ができ、また、布地を使用することで、自然で外観も良く、再度洗って使用することができる。
【発明を実施するための形態】
【０００６】  以下、本発明の実施の形態を説明する。
（イ）長方形の布体（１）の両側（２）を折り曲げて前面（３）に透明ビニール材（４）    を設けて筒状態を形成した本体（Ａ）を形成する。
（ロ）本体（Ａ）の上部縁にファスナー（５）を設けて、布体（１）の上部が開閉自在に    なっている。
（ハ）本体（Ａ）の下部縁を開口部（７）に設ける。
（二）本体（Ａ）に設けた透明ビニール材（４）と被せ布（６）を布体（１）の長手方向    と同じ長さにして、透明ビニール材（４）を覆う被せ布（６）を設ける。
（ホ）さらに本体（Ａ）の上部中央にループ（８）を設けて、本体（Ａ）がベッドの脇や    車椅子に引っ掛けられるようにする。
また、中央に長紐（９）を設けて本体（Ａ）を結んで固定できる。
中央にループ（８）と長紐（９）をつけたことで、傾きが解消され、尿測が容易に    できる。
本発明は以上のような構成になっている。
以下、使用法について説明する。
本体（Ａ）上部のファスナー（５）を開いて、従来病院で使用している排尿バック（１１）を上部ファスナー（５）部から入れて、排尿バック（１１）全体を覆う。
このような状態で排尿バック収納カバーを使用し、被せ布（６）をめくることで、溜まっている尿量を確認したり尿測することができる。
本体（Ａ）の下部縁の開口部（７）から排尿チューブ（１０）を介して排尿を捨てることができる。
このように、排尿バック（１１）に本体（Ａ）を被せることによって排尿バック（１１）に溜まっている尿を他の人に見られず、患者のプライバシーを保護することができる。
さらに、食事をするときやレクレーション時など、排尿バック（１１）に溜まった尿が他の人に丸見えになる。
このように排尿バックを収納することにより、不快感を与えることを解消することができる。
【図面の簡単な説明】
【０００７】
【図１】  本発明の正面図である。
【図２】  本発明の分解図である。
【図３】  本発明の斜視図である。
【図４】  本発明の挿入した状態を示した説明図である。
【図５】  本発明の使用状態を示した斜視図である。
【符号の説明】
【０００８】  Ａ  本体
１  布体
２  両側
３  前面
４  透明ビニール材
５  ファスナー
６  被せ布
７  開口部
８  ループ
９  長紐
１０  排尿チュウブ
１１  排尿バック
【図１】
2012228488.tif 000003
【図２】
2012228488.tif 000004
【図３】
2012228488.tif 000005
【図４】
2012228488.tif 000006
【図５】
2012228488.tif 000007
(57)【要約】【課題】ソフトタイプキャリーケースおよびこれに類するものにより丈夫なソフトタイプキャリーケースを提供する。【解決手段】正面を除く３面を囲む形状とし、一番広い面には筋を格子状に入れ補強をした１の天板と２の底板に３ならびに４のサイドフレームと９の伸縮ハンドルバーを固定し剛性を高めたソフトタイプキャリーケースおよびこれに類するものに用いたフレームを特徴とする。【選択図】図１
2012228489.tif 000002
【特許請求の範囲】
【請求項１】
正面を除く３面を囲む形状とし、一番広い面には筋を格子状に入れ補強をした１の天板と２の底板に３ならびに４のサイドフレームと９の伸縮ハンドルバーを固定し剛性を高めたソフトタイプキャリーケースおよびこれに類するものに用いるフレーム。
【発明の詳細な説明】
【技術分野】
【０００１】ソフトタイプ（表面布地製）キャリーケースおよびこれに類するものに用いるフレームに関する。
【背景技術】
【０００２】多くのソフトタイプキャリーケースの構造はプラスチック製底板に伸縮ハンドルバーを垂直に固定し、両側面は鉄製のワイヤーを輪郭とした布面を縫製により連結し、ソフトタイプキャリーケースの成形を保つ構造である。【０００３】しかし、この様に伸縮ハンドルバーと両側面の鉄製ワイヤーに布を縫製した側面だけでは中の荷物の荷重力を受止め、且つ上下左右からの耐荷重に対し弱い性質がある。
【発明の概要】
【発明が解決しようとする課題】
【０００４】本発明は、このようなことを考慮したものであり、より丈夫なソフトタイプキャリーケースを提供する事を目的とする。
【課題を解決するための手段】
【０００５】目的を達成するため、本発明はソフトタイプキャリーケースおよびこれに類するものに用いるフレームにおいて、１の天板と２の底板は、それぞれプラスチックを一体成型した。
さらに１の天板の天井面及び２の底板は正面を除く３面を囲む形状とし、一番広い面には筋を格子状に入れ補強をした。【０００６】そして、より強度を増すために、この１の天板と２の底板を一体にする為、両側面に３と４のサイドフレームを垂直に設け、３と４のサイドフレームの上下部分を、それぞれリベットで取付けた。【０００７】また背面にも９のハンドルバーユニットを１の天板と、２の底板にはめ込み用の取付け箇所５，６，７，８をそれぞれ設け、各部をネジで固定することにより頑強にした。
本発明は以上の構成によりなる、ソフトタイプキャリーケースおよびこれに類するものに用いるフレームである。
【発明の効果】
【０００８】このように、３、ならびに４のサイドフレーム２本と、９の伸縮ハンドルバーを、正面を除く３面を囲む形状とし、一番広い面に筋を格子状に入れ補強をした１の天板と２の底板に関連付けて固定することで、上面、側面からの荷重に対する支柱が４本となり、より丈夫なソフトタイプキャリーケースとなる。【０００９】  また、１０のように２の底板へ塩化ビニール等、板状の背面保護板を取付けることにより、背面からの荷重力に、より対応できるようになる。
【図面の簡単な説明】
【００１０】
【図１】本発明の正面図である。
【図２】本発明の斜視図である。
【符号の説明】
【００１１】１  天板
２  底板
３  サイドフレーム
４  サイドフレーム
５  天板の伸縮ハンドルバー取付部
６  天板の伸縮ハンドルバー取付部
７  底板の伸縮ハンドルバー取付部
８  底板の伸縮ハンドルバー取付部
９  伸縮ハンドルバー
１０  背面保護板
１１  キャスター
【図１】
2012228489.tif 000003
【図２】
2012228489.tif 000004
(57)【要約】【課題】軽量素材からなる支柱に手提げ掛け、足踏み押さえ用スタンドを設けたカバン携帯補助具を提供する。【解決手段】上部スライド軸に手提げ掛けを設け、下部中空軸支柱に足押さえようスタンドを設け、上部スライド軸の手提げ掛けと下部中空軸支柱の下端との間に伸縮ベルトを装着したことを特徴とするカバン携帯補助具。【選択図】図３
2012228493.tif 000002
【特許請求の範囲】
【請求項１】
上部スライド軸に手提げ掛けを設け、下部中空軸支柱に足押さえ用スタンドを設け、上部スライド軸の手提げ掛けと下部中空軸支柱の下端との間に伸縮ベルトを装着したことを特徴とするカバン携帯補助具。
【発明の詳細な説明】
【技術分野】
【０００１】本発明は、軽量素材からなる支柱にカバン掛け、足踏み押さえ用スタンドを設けた手提げカバン携帯に関するものである。
【背景技術】
【０００２】従来、手提げカバンは手に提げて携帯保持していた。
【発明の開示】
【発明が解決しようとする課題】
【０００３】そのために、次のような問題点があった。
（イ）カバンから手を放したいときカバンを地表、床等に直接置く事に抵抗があり不便であった。
本発明は、これらの問題点を解決するためになされたものである。
【課題を解決するための手段】
【０００４】（イ）下部中空軸支柱（２）の上部に装着した弾力性素材からなる滑り材（６）の軸穴を介し、上部スライド軸（１）を挿入し上下伸縮自在可能な一本の支柱とする。
（ロ）下部中空軸支柱（２）の下端に足で踏み押さえ支柱を自立可能にするピン（１０）を介し折り畳み式スタンド（５）を設ける。
（ハ）上部スライド軸（１）の上部にフック掛け受け（９）からなる手提げ掛け（３）、上部スライド軸（１）が下部中空軸支柱（２）から脱落防止用ストッパー（７）をそれぞれ設ける。
（ハ）カバンを安定保持する伸縮ベルト（４）の端部をリング（８）に装着固定する。
以上を特徴とするカバン携帯補助具である。
【発明の効果】
【０００５】カバン携帯補助具を使用することによりカバンから手を放したい時、スタンドを足で踏み押さえることにより支柱が自立しカバンが支柱により保持されカバンから手が解放され自由になり便利である。
【発明を実施するための最良の形態】
【０００６】（イ）下部中空軸支柱（２）の上部に装着した弾力性素材からなる滑り材（６）の軸穴を介し、上部スライド軸（１）を挿入し上下伸縮自在可能な一本の支柱とする。
（ロ）下部中空軸支柱（２）の下端に足で踏み押さえ支柱を自立可能にするピン（１０）を介し折り畳み式スタンド（５）を設ける。
（ハ）上部スライド軸（１）の上部にフック掛け受け（９）からなる手提げ掛け（３）、上部スライド軸（１）が下部中空軸支柱（２）から脱落防止用ストッパー（７）をそれぞれ設ける。
（ハ）カバンを安定保持する伸縮ベルト（４）の端部をリング（８）に装着固定する。
本発明は、以上のような構成で、これを使用するときは、カバンの手提げ部を手提げ掛け（３）掛ける。上部スライド軸（１）を上下させカバンの高さに合わせ、伸縮ベルト（４）をカバンの外側からフック（１１）をフック掛け受け（９）に掛ける。指を手提げ掛け（３）の下側に通す。カバンと支柱が一体となりスタンドを足で踏み押さえることにより手をカバンから放すことができる。使用しないときは上部スライド軸（１）を下方向に押し下部中空軸支柱（２）の内部に収納。
支柱か短くなりカバンの中に収納できる。
【実施例１】
【０００７】図３に示すように、足でスタンドを踏み押さえることにより支柱が自立する。支柱でカバンが保持されカバンを地表、床等に直接置かなくて良い。手が自由になる。
【図面の簡単な説明】
【０００８】
【図１】本発明の一部を切り欠いた側面図
【図２】本発明にカバンを掛けた例を示す正面図
【図３】本発明にカバンを掛け足でスタンドを踏みカバンが支柱に保持された実施例を示す側面図
【符号の説明】
【０００９】  １  上部スライド軸
２  下部中空軸支柱
３  手提げ掛け
４  伸縮ベルト
５  スタンド
６  滑り材
７  ストッパー
８  リング
９  フック掛け受け
１０  ピン
１１  フック
【図１】
2012228493.tif 000003
【図２】
2012228493.tif 000004
【図３】
2012228493.tif 000005
(57)【要約】      （修正有）【課題】レシプロコンプレッサーの有効な解体方法を提供する。【解決手段】本体シェルをシェルカッターにより２分割してコイル付きコアとロータより成るモータを取り出す工程と、取り出したモータを解体してコイル２付きのコア部分を取り出す工程と、コアの一端から突出しているコイル部分の上半分をコイルカッター４により切断し、この場合、コイル部分の切断面に対し、カッターを０°超〜１０°、コア側から外側に傾斜せしめ、突出コイル部分の総てがコアから切断され、切断残りが無いようにする工程と、コア部分を半回転し、同様にしてコイル部分の下半分をコイルカッターにより切断する工程と、コアの他端から突出しているコイル部分と共にコア内に残存しているコイル部分を引き抜く工程とより成る。【選択図】図２
2012228652.tif 000002
【特許請求の範囲】
【請求項１】
レシプロコンプレッサーの本体シェルをシェルカッターにより２分割してコイル付きコアとロータより成るモータを取り出す工程と、
上記取り出したモータを解体してコイル付きのコア部分を取り出す工程と、
コアの一端から突出しているコイル部分の上半分をコイルカッターにより切断し、この場合、コイル部分の切断面に対し、カッターを０°超〜１０°、コア側から外側に傾斜せしめ、突出コイル部分の総てがコアから切断され、切断残りが無いようにする工程と、
コア部分を半回転し、同様にしてコイル部分の下半分をコイルカッターにより切断する工程と、
コアの他端から突出しているコイル部分と共にコア内に残存しているコイル部分を引き抜く工程と
より成ることを特徴とするレシプロコンプレッサーの解体方法。
【発明の詳細な説明】
【技術分野】
【０００１】
本発明は、レシプロコンプレッサーの解体方法に関するものである。
【背景技術】
【０００２】
従来、冷蔵庫、冷凍庫、エアコン等が廃棄される場合には、冷蔵庫等の本体からコンプレッサは取外して分別するものの、堅牢なケーシングに密封されており分離することが困難なコンプレッサ用の電動機は、ケーシングに密封したまま鉄スクラップとして処理されていた。電動機のコア材には磁束を形成するために多量の導線（一般には銅線）が挿入されており、導線（銅線）は貴重なリサイクル可能な資源であるにも関わらず鉄スクラップとして処理されていたため、銅資源としては有効に活用されていなかった。
【０００３】
近年、資源の有効活用の観点から、コンプレッサのケーシングから電動機を取り出し、銅線をコア材と分離して回収する技術が開発されている。
【０００４】
従来の技術としては、特許文献１に「コンプレッサのケーシングをプラズマで切断して電動機を取り出し、電動機の固定子から銅線を抜き出す電動機固定子の材質別分別解体装置」が記載されている。
【０００５】
然しながらこの装置を用いた方法では作業者の手作業に頼る工程が減少して作業時間の短縮が可能であるが、ステータコアの外周方向からステータコアの端面に平行に回転刃を当てて、巻線コイルを切断する工程は、ステータコアの内周部に形成されたスロット挿入口に巻線コイルが逃げ込むため、切れ残りが生じたりするものであった。このような欠点を除き、確実に巻線コイルを切断できる電動機ステータからの巻線コイル分離方法は特許文献２に示されている。
【先行技術文献】
【特許文献】
【０００６】
【特許文献１】特開２０００−１７６４３０号公報
【特許文献２】特開２００４−１７４４５９号公報
【発明の概要】
【発明が解決しようとする課題】
【０００７】
然しながら、特許文献２に示す方法ではステータコアの一方の端面に突出した巻線渡り部分を、回転しながらステータコアの内周側から外周側に相対移動する回転刃によってステータコアの一方の端面の付近で切断する切断するものであるためその操作が面倒であると共に、コイルの切断が完全ではなく、コイルの引き抜きが困難であるという欠点があった。
【０００８】
本発明の目的は、レシプロコンプレッサーの有効な解体方法を得ることにある。
【課題を解決するための手段】
【０００９】
本発明のレシプロコンプレッサーの解体方法は、レシプロコンプレッサーの本体シェルをシェルカッターにより２分割してコイル付きコアとロータより成るモータを取り出す工程と、上記取り出したモータを解体してコイル付きのコア部分を取り出す工程と、コアの一端から突出しているコイル部分の上半分をコイルカッターにより切断し、この場合、コイル部分の切断面に対し、カッターを０°超〜１０°、コア側から外側に傾斜せしめ、突出コイル部分の総てがコアから切断され、切断残りが無いようにする工程と、コア部分を半回転し、同様にしてコイル部分の下半分をコイルカッターにより切断する工程と、コアの他端から突出しているコイル部分と共にコア内に残存しているコイル部分を引き抜く工程とより成ることを特徴とする。
【発明の効果】
【００１０】
本発明のレシプロコンプレッサーの解体方法によれば、レシプロコンプレッサーを極めて簡単、容易に解体できるようになる。
【図面の簡単な説明】
【００１１】
【図１】本発明レシプロコンプレッサーの解体方法の説明図である。
【図２】本発明レシプロコンプレッサーの解体方法の説明図である。
【発明を実施するための最良の形態】
【００１２】
以下図面によって本発明の実施例を説明する。図１において１はステータコア、２は巻線コイル、３はステータコア１のスリットである。
【実施例１】
【００１３】
本発明のレシプロコンプレッサーの解体方法は以下の工程より成る。
【００１４】
１．レシプロコンプレッサーを切断機に固定し、レシプロコンプレッサーの本体シェルをシェルカッターにより２分割してコイル付きコアとロータより成るモータを取り出す。
【００１５】
２．上記取り出したモータを解体してコイル付きのコア部分を取り出す。
【００１６】
３．コア１の一端から突出しているコイル２部分の上半分をコイルカッター４により切断する。この場合、図１に示すようにコイル部分の切断面に対し、カッター４を６°コア１側から外側に傾斜せしめ、突出コイル部分の総べてがコア１から切断され、切断残りがないようにする。カッターの傾斜角度は好ましくは０°超〜１０°の範囲で調整できる。
【００１７】
４．コア１を半回転し、同様にしてコイル２部分の下半分をコイルカッター４により切断する。
【００１８】
５．コアの他端から突出しているコイル部分と共にコア１のスリット３内に残存しているコイル部分をコイル引き抜き機で引き抜く。例えばオイルプレス機で２００〜８００ｋｇの加重をかけて引き抜くことができる。
【符号の説明】
【００１９】
１  ステータコア
２  巻線コイル
３  スリット
４  コイルカッター
【図１】
2012228652.tif 000003
【図２】
2012228652.tif 000004
(57)【要約】【課題】従来の廃棄ブラウン管の処理装置は設備が大型となり、また、その作業も危険を伴なうばかりでなく、人力で容易に持ち運びできない。【解決手段】本発明のブラウン管の可搬式解体装置は、ブラウン管を支持する支持台と、このブラウン管のパネル部分の外周を巻回する電熱線と、この電熱線の一端及び他端に接続するため上記支持台に設けた一方及び他方の電源端子と、上記電熱線に張力を加えるため上記支持台に設けたローラとより成ることを特徴とする。【選択図】図１
2012228650.tif 000002
【特許請求の範囲】
【請求項１】
ブラウン管を支持する支持台と、このブラウン管のパネル部分の外周を巻回する電熱線と、この電熱線の一端及び他端に接続するため上記支持台に設けた一方及び他方の電源端子と、上記電熱線に張力を加えるため上記支持台に設けたローラとより成ることを特徴とするブラウン管の可搬式解体装置。
【発明の詳細な説明】
【技術分野】
【０００１】
本発明はブラウン管の可搬式解体装置、特に、加熱処理を含むブラウン管の可搬式解体装置に関するものである。
【背景技術】
【０００２】
図３において、１は従来既知のブラウン管１を示し、２はガラスから成る一般に矩形状のパネル、３はこのパネル２に接合された鉛を含むガラスから成る漏斗状のファンネル、４はそのネック部を示す。
【０００３】
従来、このようなブラウン管からパネル２を解体して取り出し再生使用する方法としては、特許文献１に示されるようにブラウン管をパネル前面と平行な面に沿って切断してパネルを取り出す方法がある。
【先行技術文献】
【特許文献】
【０００４】
【特許文献１】特開平１１−１９２４７５号公報
【発明の概要】
【発明が解決しようとする課題】
【０００５】
然しながら、このような方法では設備が大型となり、また、その作業も危険を伴なうばかりでなく、人力で容易に持ち運びできない。
【０００６】
本発明は、上記の欠点を除くようにしたものである。
【課題を解決するための手段】
【０００７】
本発明のブラウン管の可搬式解体装置は、ブラウン管を支持する支持台と、このブラウン管のパネル部分の外周を巻回する電熱線と、この電熱線の一端及び他端に接続するため上記支持台に設けた一方及び他方の電源端子と、上記電熱線に張力を加えるため上記支持台に設けたローラとより成ることを特徴とする。
【発明の効果】
【０００８】
本発明のブラウン管の可搬式解体装置によれば、ブラウン管のファンネルからパネルを極めて簡単に解体して取り出すことができ、また、この解体装置は可搬式で極めて容易に移動でき、かつ容易に取り扱かうことができる。
【図面の簡単な説明】
【０００９】
【図１】本発明のブラウン管の可搬式解体装置の正面図である。
【図２】図１に示す解体装置の平面図である。
【図３】従来のブラウン管の平面図である。
【発明を実施するための最良の形態】
【００１０】
以下図面によって本発明の実施例を説明する。
【実施例１】
【００１１】
本発明においては、図１及び図２に示すように、ブラウン管１を支持する支持台５と、このブラウン管１のパネル２部分の外周を巻回する電熱線６と、この電熱線６の一端及び他端に接続するため上記支持台５に設けた一方の及び他方の電源端子７及び８と、上記電熱線６に張力を加えるため上記支持台５によって支持したローラ９とによりブラウン管の可搬式解体装置を構成せしめる。
【００１２】
本発明のブラウン管の可搬式解体装置によれば、支持台５を解体処理すべきブラウン管１の位置に移動し、ブラウン管１の外周におけるパネル２部分の外周に電熱線６として直径１．５ｍｍのステンレス鋼線を巻き、この電熱線６に電源端子７と８から２０ボルトの電圧を９０秒間印加して所望の電流を流せば、これによって電熱線６が発熱し、ブラウン管１のパネル２の外周の温度が上がり、ガラス表裏面の熱応力によりブラウン管１のパネル部分に機械的衝撃を加えれば、極めて簡単、容易にパネル２をファンネル３から分離、回収できるようになる。
【００１３】
電熱線６の直径は、パネル外周に巻回する取扱い性を考慮すると、例えば１．０〜２．０ｍｍとすることがよい。
【００１４】
また、電熱線６に印加する電圧は、好適には１５〜２５ボルトの範囲で、６０〜２００秒間の処理を行うことがよい。
【符号の説明】
【００１５】
１  ブラウン管
２  パネル
３  ファンネル
４  ネック部
５  支持台
６  電熱線
７  電源端子
８  電源端子
９  ローラ
【図１】
2012228650.tif 000003
【図２】
2012228650.tif 000004
【図３】
2012228650.tif 000005
(57)【要約】【課題】状来の印刷物に関するインデックス（見出し部）の実施はその形態にしたがい印刷内容を印刷していたために印刷に制限をもっていた。【解決手段】課題を解決するための手段として印刷内容から印刷形式を構成し印刷内容に適応し任意の幅（容量）のインデックスと任意の印刷内容にて構成される段差折り印刷冊子を提供する。【選択図】図１
2012040859.tif 000002
【特許請求の範囲】
【請求項１】
長尺の印刷用紙基材に印刷加工を施した、長尺印刷物に変則的な寸法の山折りと谷折り加工にて段差を設け、変則的な寸法の段差部を表示部（インデックス）とすることを特徴とした段差折り印刷冊子
【請求項２】
長尺の印刷用紙基材に印刷加工を施した、長尺印刷物に任意の寸法の山折り、谷折り加工にて段差を設け、段差部を表示部（インデックス）とすることを特徴とした請求項１記載の段差折り印刷冊子。
【発明の詳細な説明】
【発明の属する技術の分野】
【０００１】本発明は、冊子及び印刷物におけるインデックスの製造方法に関する。
【背景技術】
【０００２】従来、同じ寸法のインデックを設けた冊子及び印刷物が発明されていた。【０００３】
【特許文献１】特許出願号２００２−２１６９
【発明の開示】
【発明が解決しようとする課題】
【０００５】  これには次のような欠点があった。
従来、段差をインデックスとした冊子および印刷物は同じ寸法の折り返しにてインデックスを設けていたために一定の情報量のみの印刷範囲とされていた。【０００７】従来、同じ寸法の折り返しにてインデックスを設けていた印刷物は一定の情報量のみの印刷範囲とされていたことで印刷物としての活用範囲は限られていた。【０００８】前記、同じ寸法の折り返しにてインデックスを設けていた印刷物における活用範囲を拡大するものとする。【０００９】状来の印刷物に関するインデックス（見出し部）の実施はその形態にしたがい印刷内容を印刷していたために印刷に制限をもっていた。
本発明は、これらの問題点を解決するためになされたものである。
【課題を解決するための手段】
【０００９】状来の印刷物に関するインデックス（見出し部）の実施はその形態にしたがい印刷内容を印刷していたために印刷に制限をもっていたが本発明は印刷内容を優先しその印刷内容に適応し任意の幅（容量）のインデックスと任意の印刷内容にて構成されるものである。【００１０】課題を解決するための手段として、長尺の印刷用紙基材に印刷加工を施した、長尺印刷物に任意の寸法の山折り、谷折り加工にて段差を段差部とし表示部（インデックス）段差折り印刷冊子を提供する。【００１１】本発明、長尺の印刷基材の両面に任意の印刷加工を施し、前記長尺印刷物に変則的な寸法の山折りと谷折り加工にて段差を設け、変則的な寸法の段差部を表示部（インデックス）を設ける。
以上本発明の課題を解決するための手段として提供する。
【発明の効果】
【００１２】本発明は、長尺の印刷基材の両面に任意の印刷加工を施し、前記長尺印刷物に変則的な寸法の山折りと谷折り加工にて段差を設け、変則的な寸法の段差部を表示部（インデックス）を設けることで、印刷情報量に適応した印刷物の提供が可能とされる。【００１３】本発明の効果により、長尺印刷物に変則的な寸法の山折りと谷折り加工にて段差活用は印刷情報量に適応した印刷物の提供により印刷物の活用効果が得られる。
【発明を実施するための最良の形態】
【００１４】以下、本発明の実施の形態について図１乃至図５をもちいて説明する。
図１に記載されているのは、構成の形態図で本発明の段差折り印刷冊子における冊子本体表面（１０）を示したもので、長尺の印刷基材に任意の寸法にて各インデックス部（１０１ａ）（１０１ｂ）（１０１ｃ）を設け、各インデックスの間に内容部Ａ１内容部Ａ２、内容部Ｂ１、内容部Ｂ２を設け、各内容部の中間にミシン目又は折り線加工、谷折り線ａ、山折り線ａ、谷折り線ｂ、山折り線ｂの加工が施されている。【００１５】図２に記載されているのは、図１、冊子本体表面（１０）からなる折の中間状態を示した図である。【００１６】図３に記載されているのは、前記図１、図２からなる冊子本体表面（１０）からなる折の状態実施の形態を示した図である。【００１７】図４に記載されているのは、前記図１、図２及び図３からなる冊子本体裏面（２０）からなる折の状態実施の形態を示した図である。【００１８】図５に記載されているのは、本発明形態の応用実施例で縦型の形態を示した図である。【００１９】以上、本発明の構成で実施において下記に示す。【００２０】本発明の実施
本発明は、印刷物に関するインデックス（見出し部）の提供実施をするものである。【００２１】状来の印刷物に関するインデックス（見出し部）の実施はその形態にしたがい印刷内容を印刷していたために印刷に制限をもっていたが本発明は印刷内容を優先し、その印刷内容に適応し任意の幅（容量）のインデックスと任意の印刷内容にて実施されるものである。【００２２】本発明により、参考書や試験問題や学習参考商品の提案が可能となり、印刷内容から印刷形式を構成することで、絵本、まんが、広告、メニューなのどの印刷活用が実施される。
以上、本発明は実施される。【００２３】
【産業上の利用可能性】
【００２４】本発明の産業上の利用可能性により従来、状来の印刷物に関するインデックス（見出し部）の実施はその形態にしたがい印刷内容を印刷していたために印刷に制限をもっていたが本発明は印刷内容を優先し、その印刷内容に適応し任意の幅（容量）のインデックスと任意の印刷内容にて実施され、参考書や試験問題や学習参考商品の提案が可能となり、印刷内容から印刷形式を構成することで、絵本、まんが、広告、メニューなのどの印刷物における産業上の利用可能性となる。【００２５】本発明の段差折り印刷冊子においては、印刷内容から印刷形式を構成し印刷内容に適応し任意の幅（容量）のインデックスと任意の印刷内容にて実施されるもので印刷の活用形態においてはタテ型、ヨコ型の形態にても形成され、インデックスの幅は印刷内容からその形式を構成されるものである。
また、本明細記載の印刷冊子、絵本、まんが、広告、メニュー等、以外の商品の提供も可能とされるものである。
本発明は、以上の構成より産業上利用されるものである。
【図面の簡単な説明】
【００２６】
【図１】本発明、冊子の形態図である。
【図２】本発明、冊子の折加工形態図である。
【図３】本発明、冊子の実施表面図である。
【図４】本発明、冊子の実施裏面図である。
【図５】本発明、冊子、実施応用例の図である。
【符号の説明】
【００２７】１０．冊子本体表面
１０１ａ．インデックス部
１０１ｂ．インデックス部
１０１ｃ．インデックス部
内容部Ａ１
内容部Ａ２
内容部Ｂ１
内容部Ｂ２
内容部Ｃ１
内容部Ｃ２
内容部ｄ１
内容部ｄ２
山折線ａ
山折線ｂ
２０．冊子本体裏面
２０１ａ．インデックス部
２０１ｂ．インデックス部
２０１ｃ．インデックス部
【図１】
2012040859.tif 000003
【図２】
2012040859.tif 000004
【図３】
2012040859.tif 000005
【図４】
2012040859.tif 000006
【図５】
2012040859.tif 000007
(57)【要約】【課題】凹凸面や曲面の壁にムラなくきれいに貼り付けることができることを提供する【解決手段】凹凸面や曲面に沿って密着状態に取り付けることができる装飾品本体と、この装飾品本体に切り外し可能に形成された装飾部と、前記装飾品本体の一方の面に設けられた粘着材とからなるので、凹凸面や曲面等に沿って装飾部を貼ることができる。【選択図】図３
2012040858.tif 000002
【特許請求の範囲】
【請求項１】
凹凸面や曲面等に沿って密着状態に取り付けることができる装飾品本体と、この装飾品本体に切り外し可能に形成された装飾部および前記装飾品本体、あるいはどちらか一方の裏面に設けられた粘着材とからなることを特徴とする装飾品。
【請求項２】
前記装飾品本体及び装飾部、あるいはどちらか一方の表面部位は装飾等の処理が施される装飾処理面を有することを特徴とする特許請求の範囲第１項記載の装飾品
【発明の詳細な説明】
【技術分野】
【０００１】本発明は、ウィンドウ、看板、室内外の壁等に貼り付けて、装飾、ウィンドウディスプレイ、ＰＯＰ等に利用する装飾品に関するものである。
【背景技術】
【０００２】従来、建造物の内外や看板等に模様や文字を塗材で書いたり描いたり、粘着面付きのカッティングシートを貼り付けていた。
【発明の概要】
【発明が解決しようとする課題】
【０００３】従来、塗材で描いたり、カッティングシートを貼り付けたりする場合には様々なニーズに応じるためにカッティングシートをあらかじめ多くの色彩毎に用意しておかなければならないとともに、凹凸面や曲面等にムラなくきれいに貼り付け、塗装することは困難で、時間がかかるという欠点があった。
又、仕上がりは常に平面的かつ画一的で目立たないという欠点があった。
【課題を解決するための手段】
【０００４】１．凹凸面や曲面等に沿って密着状態に貼り付けることができる装飾品本体と、この装飾品本体に切り外し可能に形成された装飾部と、この装飾部および前記装飾品本体、あるいはどちらか一方の裏面に設けられた粘着材とからなることを特徴とする装飾品
２．前記装飾品本体および装飾部、あるいはどちらか一方の表面部位は装飾等の処理が施される装飾処理面を有することを特徴とする特許請求の範囲１項記載の装飾品
【発明の効果】
【０００５】凹凸面や曲面等に沿って密着状態に取り付けることができる装飾品本体と、この装飾品本体に切り外し可能に形成された装飾部と前記装飾品本体の一方の面に設けられた粘着材とからなるので、凹凸面や曲面等に沿って装飾部を貼ることができる。
したがって、凹凸面や曲面等にムラなく立体的に飾ることができるので、ディスプレイ効果の高い状態で飾ることができる。
【図面の簡単な説明】
【０００６】
【図１】は本発明の第１の実施の形態の正面図
【図２】は図１の２−２線に沿う断面図
【図３】は本発明の第１の実施の形態の背面図
【図４】は装飾部を取り外した状態の説明図
【図５】はペイントを施した状態の説明図
【発明を実施するための形態】
【０００７】図１に示す本発明の第１の実施の形態において、１は本発明の装飾品で、この装飾品１は、ゴムやウレタン樹脂、スポンジ材等の合成樹脂材等の可塑材や弾性材で形成された、凹凸面や曲面等に沿って密着状態で取り付けることができる装飾品本体２と、この装飾品本体２に切り外し可能に形成された装飾  部３と、この装飾部３および前記装飾品本体２の裏面に取り付けられた、剥離部４を有する両面接着テープ等の貼付材５とで構成されている。
前記装飾部３はデザインとしての文字や図形等のアウトラインに沿って、これを打ち抜きやカット等をして作成される。
なお、前記装飾部３を取り外した前記装飾品本体部位も、前記装飾部３と同様にデザインとして飾ることができる。
前記貼付材５は剥離部４を有するものを使用しているが、これに限らず、接着することができる接着剤であれば成分や種類は問わない。
上記のように構成された装飾品１は、剥離部４を剥がして外壁や内壁等に装飾品として貼り付けることができる。又、ウェーブ状の壁に密着させて貼り付けることができる。
なお、本実施の形態で用いた装飾品本体および装飾部に塗布する色彩や塗料等の種類は問わない。
図５に示すように第二の実施の形態、装飾品本体２から取り外した装飾部位にペイント６をして装飾を形成することができる。
【実施例】
【０００８】図３、裏面の剥離部をはがして貼付材で壁等に貼り付ける。
図４、装飾部３を取り外して、裏面の接着剤で壁等に貼り付ける。
図５、装飾品を壁に貼り付け、装飾部を取り出した後の空間をペイント塗布
【産業上の利用可能性】
【０００９】ウィンドウ、看板、室内外の壁等に張り付けて、装飾、ウィンドウディスプレイ、ＰＯＰ等に利用する装飾品
【符号の説明】
【００１０】１は装飾品
２は弾性材で装飾品本体
３は切り外し可能に形成された装飾部
４は剥離部
５は両面接着テープ等貼付材
６はペイント塗布
３Ａは装飾部を切り抜いた空間
【図１】
2012040858.tif 000003
【図２】
2012040858.tif 000004
【図３】
2012040858.tif 000005
【図４】
2012040858.tif 000006
【図５】
2012040858.tif 000007
(57)【要約】      （修正有）【課題】ペットと仲良く、しつけも考慮した散歩グッズを提供する。【解決手段】ペット用たづなは、ペットの首輪３３３とたづな取っ手部分８８８の間にクッション７７７を設けるとともに、たづな取っ手部分８８８から分岐したたづなの先端部が、前足あるいは後ろ足に固定輪２２２を設けた補助用たづなから構成される。【選択図】図１
2012040003.tif 000002
【特許請求の範囲】
【請求項１】
ペットの急激な行動からの衝撃を緩和するクッションを有しながら、歩行を抑止する補助用のたづなを持ったペット用のたづな。
【発明の詳細な説明】
【技術分野】
【０００１】
本発明は、ペット用品に関する。
【発明の概要】
【発明が解決しようとする課題】
【０００２】
若年齢の散歩で苦労するのは、急激な引っ張りである。大型犬にもなるとその力は甚大で、大人でも犬の歩行を抑止するのには力ずくである。
【発明の効果】
【０００３】
本願の図示した補助用のたづな４４４はクッション７７７が伸びた時点で、前足あるいは後ろ足が牽引されて、歩行を抑止することができる。いきなり引っ張られたときの手首の衝撃をクッションで緩和させながらも、だづなが延長された時点で、補助用のだづなが伸びてペットの足もとを抑えることから歩行抑止につながる。
【図面の簡単な説明】
【０００４】
【図１】ペット犬を本願のたづなでつなげた側面図である。（前足をつなげた）
【図２】ペット犬を本願のたづなでつなげた側面図である。（後ろ足をつなげた）
【先行技術文献】
【特許文献】
【０００５】
特許公表２００９−５１７０７６号公報
【実施例】
【０００６】
中・大型犬の散歩。
【符号の説明】
【０００７】
１１１  犬のしっぽ
２２２  補助用たづなの固定輪 
３３３  首輪
４４４  補助用たづな
６６６  だづな首輪部分
７７７  クッション（硫黄分の多いゴム等）
８８８  たづな取っ手部分
【図１】
2012040003.tif 000003
【図２】
2012040003.tif 000004
【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
ペットの急激な行動からの衝撃を緩和するクッションを有し、該クッションよりも取っ手側に歩行を抑止するための補助用のたづなが設けられ、該補助用のたづなはペットの足に固定される固定輪を有するペット用のたづな。
【手続補正２】
【補正対象書類名】明細書
【補正対象項目名】全文
【補正方法】変更
【補正の内容】
【発明の詳細な説明】
【技術分野】
【０００１】
本発明は、ペット用品に関する。
【発明の概要】
【発明が解決しようとする課題】
【０００２】
若年齢犬の散歩で苦労するのは、急激な引っ張りである。大型犬にもなるとその力は甚大で、大人でも犬の歩行を抑止するのには力ずくである。
【発明の効果】
【０００３】
本願の図示した補助用のたづな４４４はクッション７７７が伸びた時点で、前足あるいは後ろ足が牽引されて、歩行を抑止することができる。いきなり引っ張られたときの手首の衝撃をクッションで緩和させながらも、だづなが伸長された時点で、補助用のだづなが伸びてペットの足もとを抑えることから歩行の抑止につながる。クッションよりも取っ手側に歩行を抑止するための補助用のたづなが設けられ、補助用のだづなはペットの足に固定される。首輪から、首輪のたづなを経てクッションを接続して、クッションより取っ手側に補助用のたづなを有している構成である。たづなを首輪とペットの四肢の一部を固定するための固定輪（補助用のたづな）にＹ字分岐させて、分岐するところから首輪の間にクッションを設けている。そのクッションが伸長することで、補助用のたづながペットの四肢をとらえて、歩行を抑止する。
【図面の簡単な説明】
【０００４】
【図１】ペット犬を本願のたづなでつなげた側面図である。（前足をつなげた）
【図２】ペット犬を本願のたづなでつなげた側面図である。（後ろ足をつなげた）
【先行技術文献】
【特許文献】
【０００５】
特許公表２００９−５１７０７６号公報
【実施例】
【０００６】
中・大型犬の散歩。家畜でもよい。
【符号の説明】
【０００７】
１１１  犬のしっぽ
２２２  補助用たづなの固定輪 
３３３  首輪
４４４  補助用たづな
６６６  だづな首輪部分
７７７  クッション（硫黄分の多いゴム等）
８８８  たづな取っ手部分
(57)【要約】      （修正有）【課題】電気掃除機を使用するとき、手や肩にかかる負担を軽減して、清掃作業を楽に行えるハンドルを提供する。【解決手段】挟み部４で電気掃除機の主軸を挟んで、ハンドル５を主軸に取り付ける。掃除は、主軸の把持部とハンドル５を持って行う。その結果、主軸の操作は容易になり、作業も速やかになって時間を短縮し疲れを軽減できる。更に、ハンドル５は、都合の良い位置に挟み変えたり、必要のない時は取り外せる。【選択図】図１
2012040320.tif 000002
【特許請求の範囲】
クリップの一方の先端に挟み部を設け、他方にハンドルを設け、クリップで挟んでハンドルを取り付ける事を特徴とする電気掃除機の主軸のハンドル。
【発明の詳細な説明】
【技術分野】
【０００１】  本発明は、電気掃除機で掃除する時、掃除機の主軸に取り付けるハンドルに関するものである。
【背景技術】
【０００２】  従来、電気掃除機の主軸は直線状で、上先端に把握部、下先端に吸塵部を設けてあり、主軸を操作して吸塵部を移動させるとき、把握部を片手だけで持ったり、把握部とその下方とを両手で持ったりして掃除していた。
【発明の開示】
【発明が解決しようとする課題】
【０００３】  そのために、次のような問題点があった。
主軸の把握部を片手だけで持って操作する場合は，持った手と腕や肩に重い負担がかかる。又、把握部と下方を両手で持ち操作する場合は、主軸が直線状であるため、下方を持つ手の手首はねじった状態になる。そして背や腰も曲げた体形になって主軸を操作し、疲れる作業であった。
本発明はその問題点を解決するためのものである。
【課題を解決するための手段】
【０００４】クリップの一方の先端に挟み部を設け、他方にハンドルを設け、ハンドルを電気掃除機の主軸にクリップで挟んで取り付け、把握部とハンドルを両手で持ち主軸を操作する。
以上を特徴とする電気掃除機の主軸のハンドルである。
【発明の効果】
【０００５】  本発明は、電気掃除機で掃除する時、主軸の把握部とハンドルを両手で持って操作をする。したがって、主軸の操作は容易になり作業は速やかになって疲れを軽減する。
【発明を実施するための最良の形態】
【０００６】  以下、発明の実施の形態を説明する。
（イ）クリップ（１）の支点部（２）に強いバネ（３）を嵌める。
（ロ）クリップ（１）の一方の先端に挟み部（４）を設け、他方にハンドル（５）を          設ける。
（ハ）クリップのつまみ部（６）で挟み部（４）を開閉し、ハンドル（５）を掃除機          の主軸（７）に着脱する。
本発明は、以上の構成によってなっている。
本発明を使用するとき、で電気掃除機の主軸（３）の操作が容易で体形に都合の良い箇所にクリップを挟みハンドルを取り付ける。取り付けたハンドルは主軸に対し直角状に突出した形状になり持ち易く手首はねじれない。又、把握部（８）とハンドル（５）を両手で持っても背や腰を曲げる体形にはならない。そして、手や腕や肩にかかる力は両方に分散し負担が小さくなる。その結果、主軸（７）の操作は容易になり、作業も速やかになって時間を短縮し疲れを軽減する。更に、クリップ（３）は着脱自在であり、ハンドルの（５）の位置を変えたい時は、ハンドルを都合の良い所に挟み変えたり、必要のない時は取り外せる。
【図面の簡単な説明】
【０００７】
【図１】  本発明の上正面図
【図２】  本発明の横斜視図
【図３】  本発明の主軸にハンドルを取り付けた斜視図
【符号の説明】  １．クリップ
２．支点部
３．バネ
４．挟み部
５．ハンドル
６．つまみ部
７．主軸
８．主軸の把握部
【図１】
2012040320.tif 000003
【図２】
2012040320.tif 000004
【図３】
2012040320.tif 000005
(57)【要約】      （修正有）【課題】医師の処方による錠剤の種類が多くなり、次の診察日までの服用分として、二か月分〜三か月分の錠剤を纏めて大量に支給されるのが一般的で、これを朝、昼、夜、食前、食後など、飲み方の決まりに従い、毎日、処方通りに正しく服用するには、病人、介護人共々細心の注意と厳密な管理が必要であり、飲み間違いや、飲み忘れなどがないように、合理的に工夫された管理用具が要望されている。それに応える管理用の台紙を提供する。【解決手段】台紙の本体となる用紙１に、幅７〜９ミリ程度の粘着帯２を設け、その上方（下方のどちらでも良い）を、摘要欄３としたものである。【選択図】図２
2012040318.tif 000002
【特許請求の範囲】
【請求項１】
図面に示し明細書に詳記の通り、台紙の本体となる用紙（１）に、幅７〜９ミリ程度の粘着帯（２）を設け（両面粘着テープを貼るとよい）、その上方、或いは、下方（どちらでもよい）を、日付、曜日、区切り線（７）（８）や、錠剤の数と飲み方などを大きく表記出来る摘要欄（３）とした構成。
【発明の詳細な説明】
【技術分野】
【０００１】  本発明は、医師の処方による多種類の錠剤を、飲み間違ったり、飲み忘れたりせず処方通りに服用しやすいように、殻に封入した錠剤を台紙に並べて貼り付けて管理するものである。
【背景技術】
【０００２】本発明に係る、従来広く普及している用具として次の二つがある。
（その１）
殻に封入した錠剤を医師の処方通りに分別し、一回に飲む分を小さい箱や袋に入れて病人に宛がい、或いは又、その一週間分を収納出来るように２８区画に小さく仕切ってある管理箱。
（その２）
携帯に便利なように布やレザーで作られ、２８区画に仕切って小袋状にし、そこに錠剤を入れて管理するものであるが、双方基本の発想は同じで、共通する次の欠点がある。
【発明の概要】
【発明が解決しようとする課題】
【０００３】  従来の用具は、収納部を２８区画に小さく仕切った容器であり、錠剤の出し入れがしにくい難点と、錠剤の数や種類が容器の外側からは判りにくく、飲んだ錠剤の空き殻はバラバラで散逸しやすく管理しにくいなどの欠点があり、錠剤の数が合わなくなった時などは全部取り出して入念に調べ直すことになり、その手間は煩雑で、老齢者や病人の手には負えないことであり、旅行時など、かさばるものは携帯に不便である。
本発明は、従来の用具とは発想を異にし、殻に封入した状態の錠剤を、台紙に設けた粘着帯に一列に並べて貼り付け、更に、これを立体化して錠剤の数や種類、又、飲んだものと、飲まずに残っている錠剤の状態が一目瞭然に判り管理しやすいようにし、視覚的な刺激効果も加味して病人の注意を惹き自覚を促すものである。
【課題を解決するための手段】
【０００４】  図２に示すように、台紙の本体となる用紙（コピー用紙などで良い）（１）に、幅７〜９ミリ程度の粘着帯（２）を設け（両面粘着テープを張るとよい）、その上方、或いは、下方（どちらでも良い）を、日付、曜日、区切り線（７）（８）や、錠剤の飲み方などを大きく表記出来る摘要欄（３）としたものである。
【発明の効果】
【０００５】イ、  一日に飲むべき錠剤を医師の処方通りに分別し、台紙に設けた粘着帯に一列に並べて貼り付けるので、その数や種類など一目瞭然で管理しやすい。
ロ、  摘要欄に日付，曜日、区切り線や錠剤の飲み方と個数などを任意に大きく表記出来るので老齢の病人にも判りやすい。
ハ、  折り線（６）で台紙を折り曲げると、錠剤を封入した殻は斜めに立ち上がって立体化して目立つものとなり、凸部を押し込むと錠剤は裏側に飛び出し、殻の中央部は無色透明な状態となり、若し、残っている錠剤があれば直ぐ判り、飲み忘れる心配はなくなる。
ニ、  空になった殻も其の侭台紙に貼り付いて残り証拠品となるので、病人も自分の思い違いを自覚しやすくなり、介護人と揉めるトラブルの予防効果が顕著である。
ホ、  本発明は、台紙となるコピー用紙などに両面粘着テープを貼り付けた簡易な物故、使い捨てに出来る大変安価なもので、旅行時などの携帯にも便利である。
ヘ、  認知症患者の特異性は、飲んでいない錠剤を「飲んだ・・・」と言い張り、その逆もあり、或いは又、飲んだのか？飲んでいないのか自分で判らなくなることもあり、それに伴い介護人と揉めるトラブルは日常的である。糖尿病とか高血圧症など幾多の病気を併せ持つ病人は多く、その場合、処方の錠剤の種類が多くなるので、病人、介護人共々細心の注意と、厳密な管理が必要となり、本発明は、その要望に応える管理用具の提供を目的とし、従来の欠点を解決したばかりでなく、詳述した効果は、本発明独自の新規なもので、特に認知症や老齢病人の介護に役立つものである。
【図面の簡単な説明】
【０００６】
【図１】  本発明の平面図である。
【図２】  殻に封入した錠剤を粘着帯の上に並べた実施例の過程を示す平面図である。
【図３】  従来の管理用具を示す平面図で、参考図である。
【発明を実施するための形態】
【０００７】  本発明の実施の形態について、図面を参照しつつ詳細に説明すれば、台紙（１）（コピー用紙などで良い）に、幅７〜９ミリ程度の粘着帯（２）（両面粘着テープを貼れば良い）を設けたもので、その上部を（下部も含む）摘要欄（３）としたものであり，尚、粘着帯の両側縁部と略中央部に、折り線（４）（５）（６）を入れると折目が綺麗に仕上がる。
【０００８】  図２を参照しつつ、本発明の実施例と錠剤のセットの仕方などを説明すれば、先ず、両面粘着テープの剥離紙を剥ぎ取り、錠剤を封入した殻（１５〜１８ミリ角位）の一辺を折り線（４）に合わせて乗せると粘着するので、同じ要領で錠剤を次々に並べた後、手前の台紙（１）を上方に折り曲げて殻の下縁を粘着したあと、更に、折り線（５）で手前に折り曲げて押さえると、殻の額が粘着帯で挟み込まれて固定される。この平面的状態でも使用出来るが、更に、折り線（６）で台紙を向い側に折り曲げると総べての殻が斜めに立ち上がって立体化する。
【０００９】  図２の摘要欄の区切り線（７）（８）と、飲み方などの表記は、病気に依って錠剤の数など其々異なるので適宜に手書きする。
【符号の説明】
【００１０】Ｉ  台紙となる用紙
２  粘着帯（両面粘着テープを貼る）
３  摘要欄（台紙本体である）
４  折り線
５  折り線
６  折り線
７  区切り線
８  区切り線
【図１】
2012040318.tif 000003
【図２】
2012040318.tif 000004
【図３】
2012040318.tif 000005
(57)【要約】      （修正有）【課題】健康維持と健康増進と機能改善。【解決手段】純銀又は、純銀に金メッキを施した線、板、棒などの塊状物をペンダント状態で使用し、振動や回転を与えることで、刺激波動を発生させる刺激波動健康発生器。刺激波動発生器を回転させることにより、刺激波動を強化してもよい。【選択図】図１
2012040325.tif 000002
【特許請求の範囲】
【請求項１】
純銀又は、純銀に金メッキを施した線、板、棒などの塊状物に振動や回転を与えることで、刺激波動を発生させるもの。
【請求項２】
純銀線又は、金メッキを施した純銀線のコイルを利用した、刺激波動発生器。
【請求項３】
請求項２の刺激波動発生器を回転させることにより、刺激波動を強化した、刺激波動発生器。
【発明の詳細な説明】
【技術分野】
【０００１】本発明は疲労の蓄積や体調不良など不健康状態に対して、刺激波動により健康維持と健康増進と機能改善に関するものである。
【背景技術】
【０００２】不健康状態にたいして栄養剤、サプリメントや電気治療器や体を暖める方法やマッサージなどがある。
【発明の概要】
【発明が解決しようとする課題】
【０００３】疲労や体調不良などの不健康状態を刺激波動により健康維持と健康増進と機能改善など。
【課題を解決するための手段】
【０００４】請求項２を木製の箱に入れ、ペンダント状態で使用し、コイルの自然振動による刺激波動であった。請求項３は請求項２を回転させることにより、強力な刺激波動を発生させ、疲労や体調不良などの不健康状態を改善できる刺激波動発生器を発明した。
【発明の効果】
【０００５】疲労や体調不良などの不健康状態対して刺激波動器を使用すれば、指先など体の末端まで血流がよくなり、疲労の回復も早く、体調不良も徐々に改善される。
【図面の簡単な説明】
【０００６】
【図１】本発明の刺激波動発生器
【符号の説明】ａ．針金をコイル状に巻いたもの
ｂ．巻いたものを固定する枠
【発明を実施するための形態】
【０００７】図１の形状にした
【実施例】
【０００８】多数の刺激波動発生器を回転振動により強力な刺激波動発生器にした。
【産業上の利用可能性】
【０００９】医療費の削減になる。
【図１】
2012040325.tif 000003